(57)【要約】【課題】本発明の課題は、カッター部のカバー体を、カッター部の横側部の全面を覆う構成とすることでワンタッチでの開閉を容易にし、且つ、燃料タンクの給油口をも覆う構成とすることで燃料の給油容易化を図ることにある。【解決手段】脱穀後の排藁を切断処理する排藁カッター（５）の横側部と脱穀部（３）の後側低位置に配置した燃料タンク（１２）の燃料給油口（１３）とを一体的に覆うカバー体（１１）を設ける。そして、該カバー体（１１）を、カバー体（１１）の後端側に配置した上下方向の軸芯（１４）回りに揺動開閉可能に支持する。【選択図】      図６
2009077655.tif 000002
【特許請求の範囲】
【請求項１】
脱穀後の排藁を切断処理する排藁カッター（５）の横側部と脱穀部（３）の後側低位置に配置した燃料タンク（１２）の燃料給油口（１３）とを一体的に覆うカバー体（１１）を設け、該カバー体（１１）を、カバー体（１１）の後端側に配置した上下方向の軸芯（１４）回りに揺動開閉可能に支持したことを特徴とするコンバインの排藁カッター。
【発明の詳細な説明】
【技術分野】
【０００１】
この発明は、脱穀後の排藁を切断処理するコンバインの排藁カッターに関するものである。
【背景技術】
【０００２】
従来、例えば、特許文献１には、脱穀後の排藁を切断処理する排藁カッターにおいて、カッター部の左右両側部や上部及び後部の略全面にわたって覆うカバー部全体をカッター部本体に対して単独で揺動開閉できるようにしたカッターカバーの開閉構造が開示されている。
【特許文献１】実開昭６２−２４６３５号公報
【発明の開示】
【発明が解決しようとする課題】
【０００３】
従来技術は、カッター部のメンテを行うために、カバー部全体を開閉するようにしたものであるが、カバー自体の構成が複雑になるので、安全上一定の強度を保持するためにはカッター部に対する何箇所かの取付部を必要とし、ワンタッチでの開閉は容易には行い難い。
【０００４】
本発明の課題は、カッター部のカバー体は、カッター部の横側部のみ全面を覆う構成とすることで、ワンタッチでの開閉を容易にし、且つ、燃料タンクの給油口をも覆う構成とすることで、燃料の給油容易化を図ることにある。
【課題を解決するための手段】
【０００５】
この発明は、上記課題を解決すべく次のような技術的手段を講じた。
すなわち、脱穀後の排藁を切断処理する排藁カッター（５）の横側部と脱穀部（３）の後側低位置に配置した燃料タンク（１２）の燃料給油口（１３）とを一体的に覆うカバー体（１１）を設け、該カバー体（１１）を、カバー体（１１）の後端側に配置した上下方向の軸芯（１４）回りに揺動開閉可能に支持したことを特徴とするコンバインの排藁カッターとした。
【０００６】
排藁カッター５の横側板８には、該カッター部へのベルト伝動機構やカッター部を揺動開閉するための開閉ロック解除機構などが付設されている。これらを覆うべく設けられるカバー体１１は、後端側を支点として上下方向の軸芯１４回りに揺動開閉する構成であるため、ワンタッチでのオープンが容易にでき、しかも、このカバー体１１は燃料タンク１２の給油口１３を覆う構成であっても、給油時には、カバー体を大きく開放することができるので、給油作業が行い易い。
【発明の効果】
【０００７】
本発明によれば、排藁カッター５の横側部を覆うカバー体１１は、該カバー体１１の後端側に設けた上下方向の軸芯１４回りに揺動開閉するように支持してあるので、ワンタッチでオープンすることが容易にでき、着脱によって開閉する場合のように煩わしさがなく、メンテナンス性が向上する。しかも、このカバー体１１は燃料タンク１２の燃料給油口１３をも一体的に覆うために、給油時に該カバー体１１を大きく開放することによって、給油作業を容易に行うことができる。
【発明を実施するための最良の形態】
【０００８】
この発明の実施例を図面に基づき説明する。
図１はコンバインの概略側面図、図２はコンバイン要部の側面図を示すものであり、この走行車体１には、左右一対の走行クローラ２，２を備え、後部に搭載した脱穀部（脱穀装置）３の前方部に刈取部Ｋを設置し，刈取部Ｋの横側部には運転席や操作ボックス等からなる運転操作部Ｕを備え、更に、その運転操作部Ｕの後方には脱穀粒を一時的に貯留するグレンタンク４を装備している。また、脱穀部３の後部には脱穀後の排藁を切断処理する排藁カッター５を装備している。
【０００９】
脱穀部３は、フィードチェン６により株元を挟持しながら搬送される穀稈の穂先部を扱室内で駆動回転する扱胴により脱穀処理するよう構成している。扱胴の上部を覆う扱胴カバー７は、扱室の一側を支点として揺動開閉する構成である。
【００１０】
排藁カッター５のカッター軸を回転駆動可能に軸架する左側横側板８には、カッター部へのベルト伝動機構９や排藁カッター５を揺動開閉するための開閉ロック解除機構１０等が具備されている。排藁カッター５の横側部を覆うカバー体１１は、前記ベルト伝動機構９や開閉ロック解除機構１０等を外側から覆う構成であり、また、脱穀部３後部の車体上に搭載した燃料タンク１２の給油口１３をも覆うように構成してある。そして、このカバー体１１の前端側が後端側を回動支点とする上下方向の縦軸芯１４回りに揺動開閉するように構成している。排藁カッター５への伝動機構のメンテ、排藁カッター５を揺動開閉するとき、また、燃料を給油するときなどには、カバー体１１を後端の縦軸芯１４回りにおいて簡単に揺動開放することができる。
【００１１】
図７に示すカバー体１１は、所定の開度まで開くと、規制アーム１５とガイド溝１６に沿ってスライド可能なロックピン１７によってカバー体１１がロックされるようになっており、カバー体１１の開度を規制することで、カバー体１１が不意に開閉したりすることがなくなる。なお、前記ロックピン１７の外周部には、弾性ゴム等の弾性変位可能な弾性体１８を貼り付けておくと、この弾性体１８が排藁カッター５をロックするときの衝撃を吸収することになり、カバー体１１の変形を未然に防止することができる。また、図７に示すように、カバー体１１と排藁カッター５本体をダンパ１９によって連結する構成であっても、ダンパ１９が排藁カッター５をロックするときの衝撃を吸収するため、上記同様にカバー体１１の変形を防止することができる。
【００１２】
次に、扱室の受網構造について説明する。上下の受網２０ｕ，２０ｄに背断面視で各１枚の仕切金を連続的に設けていた従来構成より、上受網２０ｕ、下受網２０ｄともそれぞれ２枚の仕切金２１ａ，２１ｂを設けることで、２枚の仕切金２１ａ，２１ｂ間に切れ目が存在することによって藁屑の送りが促進され脱穀負荷の軽減を図ることができる。
【００１３】
上下の受網２０ｕ，２０ｄの前後には、扱室の側板２２から突設するガイドレール２３上に沿って抜き差し自在に受けさせる受け枠２４，２４を設け、受網２０を張設する網枠２５は、前記受け枠２４，２４に対しこの受け枠に設けられた上下方向の長孔２６及びボルト・ナットによる締付固定具２７を介して上下調節固定自在に構成している。従来は扱室側板２２側のガイドレール２３を調整して扱胴２８外周の扱歯２９とのクリアランスを調整していたが、受網側でも受け枠に対する上下動調節によって扱歯とのクリアランスを簡単に調整することができる。
【００１４】
受網を所定位置に差し込んで固定保持するロック解除レバー３０は、フィードチェン６側における網枠２５の前後に設けられ、ピン軸３１回りに回動可能で、該レバーの途中部に設けられた係止凹部３２が機体側のロック部材３３に係合することによって受網を固定保持する構成としている。受網２０を引き出すときには、揺動開閉可能なフィードチェン６を揺動開放し、ロック解除レバー３０，３０をピン軸３１回りに押し上げて係止凹部３２のロック部材３３に対するロック状態を解除すると共に、該レバー３０，３０を握ったままで受網をフィードチェン６の開放側に引き出せばよい。受網を差し込むときには、前後の受け枠２４，２４がガイドレール２３上に沿ってガイドされるが、この受網を所定位置まで差し込むと、レバー３０の押し下げ操作で係止凹部３２がロック部材３３に係合してロックされる。そして、開放状態のフィードチェン６を閉鎖すれば、フィードチェン６の支持フレーム３４がロック解除レバー３０に当接し、レバー３０のロック状態が維持され、確実に固定することができる。
【図面の簡単な説明】
【００１５】
【図１】コンバインの概略側面図
【図２】コンバイン要部の側面図
【図３】同上要部の拡大側面図
【図４】同上要部の平面図
【図５】同上要部の背面図
【図６】同上要部の斜視図
【図７】排藁カッター部の要部の平面図
【図８】排藁カッター要部の平面図
【図９】脱穀装置の要部の切断背面図
【図１０】受網（下）の平面図
【図１１】同上受網の背面図
【図１２】同上受網の側面図
【図１３】同上要部の背断面図
【符号の説明】
【００１６】
５      排藁カッター    
１１      カバー体
１２      燃料タンク                                                            ２１３    給油口
１４      縦軸芯
【図１】
2009077655.tif 000003
【図２】
2009077655.tif 000004
【図３】
2009077655.tif 000005
【図４】
2009077655.tif 000006
【図５】
2009077655.tif 000007
【図６】
2009077655.tif 000008
【図７】
2009077655.tif 000009
【図８】
2009077655.tif 000010
【図９】
2009077655.tif 000011
【図１０】
2009077655.tif 000012
【図１１】
2009077655.tif 000013
【図１２】
2009077655.tif 000014
【図１３】
2009077655.tif 000015